(57)【要約】【課題】  商品選択後には図柄組合せ式又はジグソー式のパズルとして使用可能なパズル式商品選択カタログの提供を課題としている。【解決手段】  表面には、需要者が選択可能な異なる商品がそれぞれ表示され、裏面には、組み合わせにより特定の完成図柄Ｄとなる分割図柄（Ｄ1 〜Ｄ50）がそれぞれ表示された多数枚の商品選択ピース（Ｐ1 〜Ｐ50）から成り、各商品選択ピース（Ｐ1 〜Ｐ50）の裏面の分割図柄（Ｄ1 〜Ｄ50）を組み合わせて特定の完成図柄Ｄにすることにより、図柄組合せ式パズルとして使用可能な商品選択カタログＣ1 とする。【選択図】  図１
0003122238.tif 000002
【実用新案登録請求の範囲】
【請求項１】
表面には、需要者が選択可能な異なる商品がそれぞれ表示され、裏面には、組み合わせにより特定の完成図柄となる分割図柄がそれぞれ表示された多数枚の商品選択ピースから成り、
各商品選択ピースの裏面の分割図柄を組み合わせて特定の完成図柄にすることにより、図柄組合せ式パズルとして使用可能であることを特徴とするパズル式商品選択カタログ。
【請求項２】
各商品選択ピースは、外周線が任意の曲線又は近似直線で構成された図柄組合せ式パズルとして使用可能であることを特徴とする請求項１に記載のパズル式商品選択カタログ。
【請求項３】
各商品選択ピースは、嵌合突起、及び嵌合溝を有するジグソー式パズルとして使用可能であることを特徴とする請求項１に記載のパズル式商品選択カタログ。
【請求項４】
各商品選択ピースは、組み合わせて特定の完成図柄を形成した場合に、その外周縁自体が前記図柄の外形を形成していることを特徴とする請求項２又は３に記載のパズル式商品選択カタログ。
【考案の詳細な説明】
【技術分野】
【０００１】
本考案は、商品選択後には図柄組合せ式又はジグソー式のパズルとして使用可能なパズル式商品選択カタログに関するものである。なお、本明細書においては、「ジグソー式パズル」は「図柄組合せ式パズル」の一態様として記載している。
【背景技術】
【０００２】
例えば、結婚式において贈り主（主催者）が受取人（出席者）に対して贈答品（引出物）を配布するシステムとして、贈り主が各受取人に祝儀額に応じた「商品選択カタログ」を手渡して、式典を終えた後において各受取人は贈り主から手渡された前記「カタログ」の中から自己の欲する商品を選択して、前記「カタログ」に添付の葉書にその旨を記載して投函することにより、後日、選択した商品が受取人の自宅等の指定された場所に届けられるシステムがある。
【０００３】
上記した「贈答品配布システム」において使用されている「商品選択カタログ」は、多いものでは１００頁以上となる「雑誌式カタログ」であって、掲載された商品数は膨大なものとなる。この「贈答品配布システム」において結婚式場等から贈答品配布を受注した業者は、前記「雑誌式カタログ」に掲載された膨大な数の商品の全てについて仕入れ先を確保しておいて、商品の配布受注を受けた際には全商品について対応できる体制を整備しておく必要がある。受注業者は商品数が多くなればなる程、選択される頻度が少ない商品についても、頻繁に選択される商品と同様な「仕入れ先」の確保が必要となると共に、商品数の増大に伴って「商品在庫管理」の手間も膨大となる等して、膨大な数の商品の諸管理のために管理コスト自体が嵩むという問題があった。
【０００４】
一方、雑誌式の「商品選択カタログ」は、その性質上、同一の商品選択の用途で繰り返して使用されることはなく、しかも「商品選択」以外の他の用途は一切ないために、特定のユーザー（商品受取人）の１回の使用のみで廃棄処分されている。１００頁以上にも及ぶ「雑誌式カタログ」は、その製作費が嵩むのに加えて、特定の商品受取人の１回の使用のみで廃棄処分されているために、紙資源を有効に使用していないのみならず、廃棄コストもかかるという問題があった。
【０００５】
なお、「商品選択カタログ」の構成自体に関する先行特許文献は存在していないと思われる。
【考案の開示】
【考案が解決しようとする課題】
【０００６】
本考案は、商品選択後には図柄組合せ式又はジグソー式のパズルとして使用可能なパズル式商品選択カタログの提供を課題としている。
【課題を解決するための手段】
【０００７】
上記課題を解決するために本考案の採用した手段は、表面には、需要者が選択可能な異なる商品がそれぞれ表示され、裏面には、組み合わせにより特定の完成図柄となる分割図柄がそれぞれ表示された多数枚の商品選択ピースから成り、各商品選択ピースの裏面の分割図柄を組み合わせて特定の完成図柄にすることにより、図柄組合せ式パズルとして使用可能であることを特徴としている。
【０００８】
請求項１の考案によれば、多数枚の商品選択ピースの裏面には、組み合わせにより特定の完成図柄となる分割図柄がそれぞれ表示されているために、商品の選択をした後においては、多数枚の商品選択ピースを上下反転させて「図柄組合せ式パズル」として繰り返して使用可能となる。また、一般の「図柄組合せ式パズル」と同様にして、組み合わせが完成された多数枚の商品選択ピースを糊類により互いに軽接着させた状態で、額縁に収納して部屋に飾っておくことも可能となる。このように、請求項１の考案に係る商品選択カタログは、商品選択という本来の用途を済ませた後には、そのまま廃棄処分することなく「図柄組合せ式パズル」として繰り返して使用できるので、即ち、本来の用途以外の別の用途を備えているので、紙資源を有効に利用できる。
【０００９】
また、商品選択とうい本来の機能に関しても、「パズル式」であるために、多数枚の商品選択ピースの表面に記載された各商品のうち、選択の候補となる商品が記載された各商品選択ピースと、選択の候補とならない商品が記載された各商品選択ピースとを物理的に二分し、更に前者の中から最終的に希望の商品を選択することができるため、商品選択がし易くなると共に、選択商品が表示されたピースを別のピースと分離して保存しておくことにより、商品を受け取るまでの間において選択商品を確実に覚えておくことができる。この点、従来の「雑誌式商品カタログ」では、選択の候補となる商品が掲載された頁を覚えておくために、折り目を付ける、付箋を付す等の操作をしなければならず、面倒であるのと異なる。また、「パズル式」であって、その裏面には選択される商品が表示されるために、１枚の商品選択ピースの大きさは一定以上のものが必要となり、しかも「図柄組合せ式パズル」として使用する場合には、組合わせた後の大きさに一定の制限があって、結局、「パズル式カタログ」を構成する商品選択ピースの数は自ずと限定される。その結果、贈答品配布の受注業者が管理すべき商品数が少なくなると共に、「パズル式カタログ」のユーザー（贈答品受取人）も「雑誌式商品カタログ」に比較して掲載商品の数が少ないことに関しても納得し易くなる。
【００１０】
また、請求項２の考案は、請求項１の考案において、各商品選択ピースは、外周線が任意の曲線又は近似直線で構成された図柄組合せ式パズルとして使用可能であることを特徴としている。
【００１１】
請求項２の考案によれば、各商品選択ピースの外周線が任意の曲線又は近似直線で構成されていて、外周縁に突起類がないために、多数枚の商品選択ピースをケースに収容する場合等においても、商品選択ピース同士、或いは商品選択ピースと他の物品との引っ掛かりがなくなる。
【００１２】
また、請求項３の考案は、請求項１の考案において、各商品選択ピースは、嵌合突起、及び嵌合溝を有するジグソー式パズルとして使用可能であることを特徴としている。
【００１３】
各商品選択ピースが連結されるジグソー式パズルとして使用可能であるため、図柄組合せ完成後において各商品選択ピースが分離しなくなって、その取り扱いが容易となる。
【００１４】
また、請求項４の考案は、請求項２又は３の考案において、各商品選択ピースは、組み合わせて特定の完成図柄を形成した場合に、その外周縁自体が前記完成図柄の外形を形成していることを特徴としている。
【００１５】
請求項４の考案によれば、パズル式商品選択カタログを構成する多数の商品選択ピースの大きさ及び形状に大きな差異を形成することが可能となって、その表面に表示できる商品の制約が少なくなる。
【考案の効果】
【００１６】
本考案に係るパズル式商品選択カタログは、表面には、需要者が選択可能な異なる商品がそれぞれ表示され、裏面には、組み合わせにより特定の完成図柄となる分割図柄がそれぞれ表示された多数枚の商品選択ピースから成り、各商品選択ピースの裏面の分割図柄を組み合わせて特定の完成図柄にすることにより、図柄組合せ式パズルとして使用可能であるために、商品の選択をした後においては、多数枚の商品選択ピースを表裏反転させて「図柄組合せ式パズル」として繰り返して使用可能となる。
【考案を実施するための最良の形態】
【００１７】
以下、複数の実施形態を挙げて、本考案を更に詳細に説明する。
【実施例１】
【００１８】
図１ないし図４に、本考案の実施例１のパズル式商品選択カタログＣ1 が示されている。図１は、パズル式商品選択カタログＣ1 を構成する多数枚の商品選択ピースＰ1 〜Ｐ50が縦横２列にそれぞれ積み重ねられてケースＫの本体Ｋａに収容された状態の斜視図であり、図２は、多数枚の商品選択ピースＰ1 〜Ｐ50を「図柄組合せ式パズル」として使用して組み合わせた状態の平面図であり、図３（イ）〜（ハ）は、それぞれ商品選択ピースＰ8,Ｐ9,Ｐ18, Ｐ19の表裏の表示を示す図であり、図４は、パズル見本Ｓの平面図である。なお、図３における一点鎖線Ｌは、商品選択ピースの表裏の反転線を示す。
【００１９】
図１ないし図３に示されるように、パズル式商品選択カタログＣ1 は、多数枚（実施例１では５０枚）の商品選択ピースＰ1 〜Ｐ50で構成されて、各商品選択ピースＰ1 〜Ｐ50の外周線は緩やかな曲線で構成されていると共に、４つのコーナー部を結ぶ線分で構成される図形は方形状になっているために、各商品選択ピースＰ1 〜Ｐ50の大きさはほぼ同一となっている。各商品選択ピースＰ1 〜Ｐ50の表面には、それぞれ異なる商品が表示されている。具体的には、図３に示されるように、商品のカラー写真、商品名、商品のサイズ及び材質等の商品に関する諸情報と、商品受け取りの手続きに必要な情報である「申込み番号」とが表示されている。また、各商品選択ピースＰ1 〜Ｐ50の裏面には、組み合わせにより特定の完成図柄Ｄ（実施例１では２匹の小犬が並んで正面を向いている完成図柄）となる分割図柄Ｄ1 〜Ｄ50がそれぞれ表示されていて、「図柄組合せ式パズル」として使用可能になっている。また、図２に示されるように、各商品選択ピースＰ1 〜Ｐ50の裏面の分割図柄を組み合わせて特定の完成図柄にした場合の全体形状は長方形状となる。
【００２０】
上記したパズル式商品選択カタログＣ1 を構成する各商品選択ピースＰ1 〜Ｐ50は、商品が表示された表面を上にした状態で所定枚数を積み重ねたものを、縦横にそれぞれ二列に配置してケースＫの本体Ｋａに収容される。ケースＫ内には、受取人が選択した商品を発注するための葉書１、贈り主からの式典出席の礼状２、パズル見本Ｓ等が、各商品選択ピースＰ1 〜Ｐ50と一緒にケースＫ内に収容される。なお、図１においてＫｂは、ケースＫの蓋体を示す。
【００２１】
贈り主は、ケースＫに収容された多数枚の商品選択ピースＰ1 〜Ｐ50により構成されるパズル式商品選択カタログＣ1 を受取人に手渡し、受取人は、後日、多数枚の商品選択ピースＰ1 〜Ｐ50の表面に表示された多数の商品の中から希望の商品を選択して、ケースＫに同封された葉書１に選択商品の「申込番号」を記載して投函すると、所定日数を経過した後に、受取人の指定場所に申込みに係る商品が届けられる。商品選択の際においては、例えば多数枚の商品選択ピースＰ1 〜Ｐ50の中から「選択商品群」を複数選択して、選択に係る商品選択ピースを非選択に係る商品選択ピースから分離させ、その後に、「選択商品群」の中から最終的な商品を選択することができるため、従来の「雑誌式カタログ」に比較して商品選択の作業が行い易くなる。
【００２２】
一方、商品を選択して「カタログ」として不要になった場合には、多数枚の商品選択ピースＰ1 〜Ｐ50を表裏反転させて、その裏面の分割図柄を表に向けることにより、「図柄組合せ式パズル」として繰り返して使用可能となる。このように、商品選択を終えて「商品選択カタログ」としての用途を終えた後においても、「図柄組合せ式パズル」として繰り返して使用でき、更に、組み合わせにより特定の完成図柄が表示された多数枚の商品選択ピースＰ1 〜Ｐ50を「額縁」に収めて室内に飾っておくことも可能である。このため、従来の「雑誌式カタログ」に比較して紙資源を有効に利用できる。
【実施例２】
【００２３】
図５及び図６に、本考案の実施例２のパズル式商品選択カタログＣ2 が示されている。図５は、多数枚の商品選択ピースＰ1'〜Ｐ33' を「図柄組合せ式パズル」として使用して組み合わせた状態の平面図であり、図６（イ），（ロ）は、それぞれ商品選択ピースＰ10',Ｐ13' の表裏の表示を示す図である。パズル式商品選択カタログＣ2 に関しても、これを構成する多数枚の商品選択ピースＰ1'〜Ｐ30' の表面に異なる選択商品がそれぞれ表示され、裏面に、組み合せにより特定の完成図柄となる分割図柄がそれぞれ表示されている点は、前記パズル式商品選択カタログＣ1 と同様であるが、各商品選択ピースＰ1'〜Ｐ33' の大きさ及び形状が個々に大きく異なる点、及び組み合わせられた各商品選択ピースＰ1'〜Ｐ33' の外周縁自体が特定の完成図柄を構成している点が前記パズル式商品選択カタログＣ1 と異なる。
【００２４】
即ち、各商品選択ピースＰ1'〜Ｐ33' の大きさ及び形状が個々に大きく異なっており、商品選択ピースＰ21',Ｐ28' は、他の商品選択ピースに比較して縦横比が大きくなった横長形状であるために、横長の商品の表示に適している。パズル式商品選択カタログＣ2 は、図５のように、多数枚の商品選択ピースＰ1'〜Ｐ33' を組み合わせて「横に座って顔のみ正面を向いた猫の完成図柄Ｄ’」を形成した場合に、組み合わせられた多数枚の商品選択ピースＰ1'〜Ｐ33' の外周縁自体が前記完成図柄Ｄ’の外形を形成している。
【実施例３】
【００２５】
図７に、本考案の実施例３のジグソー式の商品選択カタログＣ3 を構成する一部の商品選択ピースＰn ",Ｐ(n+m) " が示されている。実施例３の商品選択ピースＰn ",Ｐ(n+m) " は、隣接する別の商品選択ピースに連結される嵌合突起１１及び嵌合溝１２のいずれかが各辺にそれぞれ形成され、表面に異なる商品が表示された多数枚の商品選択ピースの裏面には、組み合わせにより特定の完成図柄となる分割図柄〔図７においては、分割図柄Ｄn ",Ｄ(n+m) " 〕がそれぞれ形成されている。よって、商品選択後においては、裏面に表示された分割図柄によってジグソー式パズルとして使用可能となる。
【図面の簡単な説明】
【００２６】
【図１】パズル式商品選択カタログＣ1 を構成する多数枚の商品選択ピースＰ1 〜Ｐ50が縦横２列にそれぞれ積み重ねられてケースＫの本体Ｋａに収容された状態の斜視図である。
【図２】多数枚の商品選択ピースＰ1 〜Ｐ50を「図柄組合せ式パズル」として使用して組み合わせた状態の平面図である。
【図３】（イ）〜（ハ）は、それぞれ商品選択ピースＰ8,Ｐ9,Ｐ18, Ｐ19の表裏の表示を示す図である。
【図４】パズル見本Ｓの平面図である。
【図５】多数枚の商品選択ピースＰ1'〜Ｐ33' を「図柄組合せ式パズル」として使用して組み合わせた状態の平面図である。
【図６】（イ），（ロ）は、それぞれ商品選択ピースＰ10',Ｐ13' の表裏の表示を示す図である。
【図７】ジグソー式パズルの商品選択カタログＣ3 を構成する商品選択ピースＰn ",Ｐ(n+m) " 表裏の表示を示す図である。
【符号の説明】
【００２７】
Ｃ1 〜Ｃ3 ：パズル式商品選択カタログ
Ｄ，Ｄ’：完成図柄
Ｄ8,Ｄ9,Ｄ18, Ｄ19，Ｄ10',Ｄ13' ：分割図柄
Ｐ1 〜Ｐ50，Ｐ1'〜Ｐ33' ，Ｐn ",Ｐ(n+m) " ：商品選択ピース
１１：嵌合突起
１２：嵌合溝
【図１】
0003122238.tif 000003
【図２】
0003122238.tif 000004
【図３】
0003122238.tif 000005
【図４】
0003122238.tif 000006
【図５】
0003122238.tif 000007
【図６】
0003122238.tif 000008
【図７】
0003122238.tif 000009